(57)【特許請求の範囲】
【請求項１】
電力量計本体の前面に取り付けられる銘板カバーであって、前記電力量計本体の前面は計量値が視認される視認部を含んでおり、且つ、前記視認部を視認可能に覆うと共に前記視認部の周囲に所定の記載事項を表示する銘板が前記電力量計本体の前面に取り付けられており、前記銘板カバーは、少なくとも前記視認部及び銘板を覆う全体に透明な部材で形成されており、前記銘板カバーを封印するための封印部を備えている、銘板カバー。
【請求項２】
前記電力量計本体は、変成器付電力量計の本体であり、且つ、変成器に関連する所定の項目を設定するための設定用スイッチを備えており、前記銘板カバーは、前記設定用スイッチを覆うことができる、請求項１に記載の銘板カバー。
【請求項３】
前記電力量計本体から着脱可能である、請求項１または２に記載の銘板カバー。
【請求項４】
さらに、外部カバーを取り付けるための取り付け部を備える、請求項１〜３のいずれか一項に記載の銘板カバー。
【発明の詳細な説明】
【技術分野】
【０００１】
本発明は、電力量計に取り付けられた銘板を覆うためのカバーに関する。
【背景技術】
【０００２】
電力量計は、通常、各種計器と共に配電盤に設置されるが、電力量計の外形寸法によっては、電力量計の計量値の表示部が配電盤扉の開口部よりも奥まった位置に配置され、表示部と開口部との間に大きな隙間ができることがある。この隙間を解消するように電力量計本体の前面にオプションとして取り付けることができる外部カバーが知られている（特許文献１）。
【０００３】
しかし、外部カバーが不要な場合は、電力量計本体の前面に取り付けられた銘板が外部に露出されることになる。銘板は、ＪＩＳ  Ｃ  １２１０によって電力量計への取り付けが義務付けられており、例えば、計器名称、相及び線式、計器定数、型式承認番号、定格周波数、製造番号、製造年等の所定の記載内容が表記される。これらの記載は、通常、銘板に直接印刷または刻印することにより行われる。また、銘板の記載及び取り付けは、電力量計の製造時に行われる。
【０００４】
しかし、銘板の製造後に記載内容を変更する必要が生じる場合がある。例えば、銘板製造後に出荷先が変更になり、その地域の定格周波数が異なる場合、年末年始にかけた出荷時期で製造年が変わった場合等に、銘板の記載内容を変更することが必要とされる。この場合、新しく銘板を作り直し、既に電力量計に取り付けられた銘板を取り外して交換する必要があるが、このような交換作業はかなりの時間及び労力を必要とする。また、電力量計が変成器付電力量計である場合、付属変成器の情報の記載が必要になるが、その電力量計と組み合わせて使用する変成器が判明するまで記載することができないので、電力量計の製造がそこで停滞することになり、製造メーカにとって納期が延びる原因になる。
【０００５】
一方、銘板に直接、ペンを使用した記入やシールを貼り付けて表示することも考えられるが、銘板が外部に露出されているため、不特定の第三者に記入を書き換えられたり、シールを剥がされたりするおそれがあり、記載内容の信頼性に欠ける。従って、料金取引または証明用として使用する電力量計には不向きである。
【０００６】
また、従来、銘板は、電力量計の表示部に傷が付かないように、また、外からの圧力が加わらないように保護する機能も有しており、この機能を果たすのに十分な厚さと強度を備えることが必要とされる。
【先行技術文献】
【特許文献】
【０００７】
【特許文献１】特開２０１３−２４７６７号
【発明の概要】
【発明が解決しようとする課題】
【０００８】
本発明によれば、銘板の記載内容の変更を容易に行うことができ、且つ、銘板記載事項を確実に保護することができる、電力量計の銘板カバーを提供することができる。
【課題を解決するための手段】
【０００９】
請求項１の発明によれば、電力量計本体の前面に取り付けられる銘板カバーが提供される。電力量計本体の前面は計量値が視認される視認部を含んでおり、且つ、視認部を視認可能に覆うと共に視認部の周囲に所定の記載事項を表示する銘板が取り付けられており、銘板カバーは、少なくとも視認部及び銘板を覆う全体に透明な部材で形成されており、さらに、銘板カバーを封印するための封印部を備えている。この構成によれば、銘板カバーによって、銘板を外部から視認可能な状態で外部に露出させることなく保護することができる。従って、従来、銘板に直接印刷または刻印されていた記載項目のうち、変更すべき記載項目についてはこれを記載したシールを作成し、銘板に貼り付けることによって、容易に記載内容の変更を行うことができる。また、封印部によって銘板カバーを封印することができるので、第三者による書き換えやシール剥がれ等のおそれがなく、従って、銘板記載事項の高い信頼性を確保することができる。また、銘板カバーは電力量計の視認部を含めた前面を覆うので、従来の銘板が有していた、電力量計の視認部に対する保護機能を銘板カバーが有することができ、従って、銘板自体に必要とされる厚さ及び強度を軽減することができる。
【００１０】
請求項２の発明によれば、電力量計本体は、変成器付電力量計の本体であり、変成器に関連する所定の項目を設定するための設定用スイッチを備えており、銘板カバーは、設定用スイッチを覆うことができる、請求項１に記載の銘板カバーを提供することができる。この構成によれば、銘板カバーと設定用スイッチの封印カバーとを別々に電力量計本体に取り付けて封印する必要がないので、作業効率を高めることができる。
【００１１】
請求項３の発明によれば、電力量計本体から着脱可能である、請求項１または２に記載の銘板カバーを提供することができる。この構成によれば、銘板カバーを着脱することにより銘板の記載の変更箇所を記したシールの貼り付け等を容易に行うことができる。
【００１２】
請求項４の発明によれば、さらに、外部カバーを取り付けるための取り付け部を備える、請求項１〜３のいずれか一項に記載の銘板カバーを提供することができる。この構成によれば、銘板カバーに外部カバーを取り付けて、配電盤扉に対する高さ調整を行うことが可能になる。また、外部カバーを取り付けた状態で銘板カバーを取り外すことが可能となり、銘板カバーを着脱する場合の作業効率を高めることができる。
【図面の簡単な説明】
【００１３】
【図１】本実施形態の銘板カバーが取り付けられる電力量計の分解斜視図である。
【図２】銘板カバーと電力量計本体の着脱機構を示す図である。
【図３】銘板カバーに対する外部カバーの取り付けを示す図である。
【図４】封印部の別の例を示す、電力量計の正面図である。
【発明を実施するための形態】
【００１４】
以下、添付図面に参照して、本発明の一実施形態による銘板カバーを説明する。尚、本明細書中、「上」「下」「左」「右」「前」「後」「正面」「背面」等の方向を示す用語は、電力量計が配電盤等に設置された使用状態について用いられる。
【００１５】
図１は、本実施形態の銘板カバー１が取り付けられる電力量計の分解斜視図であり、電力量計本体７の前面に銘板２が取り付けられた状態で示されている。電力量計は、配電盤に設置可能な、料金取引または証明用の電力量計である。電力量計本体７の前面中央には、表示部３が配置されており、表示部３は、電力量計の計量値が視認される視認部３ａを有し、且つ、銘板２が取り付けられて所定の記載項目が表示されるように構成されている。銘板２は、表示部３の前面を覆うと共に電力量計の計量値が視認できるように、視認部３ａに対応する位置に矩形状の透明な窓部４を有しており、視認部３ａは窓部４によって覆われている。尚、銘板２は、プラスチックで形成される板状部材であり、電力量計本体７に接着されている。尚、５は、電力量計の操作用ボタンに対応して銘板２に形成された孔である。また、本実施形態に使用される電力量計本体７は、変成器付電力量計の本体であり、電力量計本体７の前面上部には、設定用スイッチ６が配置されている。設定用スイッチ６は、電力量計本体７に組み合わされる変成器に合わせた乗率及び変成比等、変成器に関連する所定の項目を設定するために用いられるスイッチである。
【００１６】
本実施形態の銘板カバー１は、全体に透明な部材で形成されており、少なくとも視認部３ａ及び視認部３ａ周囲の銘板２を覆うことができる。銘板カバー１を全体に透明な部材で形成することにより、電力量計の計量値及び銘板２の記載事項の視認を妨げることなく、銘板２を外部に対して保護することができる。従って、銘板記載項目のうち、変更すべき記載項目についてはこれを記載したシールを作成し、銘板２に貼り付けることによって容易に記載項目の変更ができる。図１の１００は、そのような記載項目を記したシールの例である。複数の変更箇所がある場合、シールは各変更箇所について別個のシールであってもよいし、一枚にすべての変更箇所を記載した一体型シールであってもよい。シール１００は、一体型シールの例である。また、このように電力量計の視認部３ａを覆う銘板カバー１は、従来の銘板が有していた、視認部３ａに対する保護機能を銘板カバー１が有することができるので、銘板２自体に必要とされる厚さ及び強度を軽減することができる。
【００１７】
本実施形態では、銘板カバー１は、表示部３を含む、電力量計本体７の前面の外形形状に概ね沿うように形成されており、電力量計本体７の前面上部に配置される設定用スイッチ６を覆うことができる。換言すれば、本実施形態の銘板カバー１は、従来の設定用スイッチ６の封印カバーと一体化された構造を有している。従って、銘板カバー１と設定用スイッチ６の封印カバーとを別々に電力量計本体７に取り付けて封印する必要がないので、取付時の作業性を高めることができる。しかし、後述するように、本発明の銘板カバー１は、必ずしも設定用スイッチ６を覆うものでなくてもよい。銘板カバー１は、例えば、電気的絶縁性を有する透明な樹脂材料によって全体に一体成型されることができる。尚、上記した操作用ボタンの操作を阻害しないよう、銘板カバー１には、銘板２の孔５に対応する位置に開口８が形成されている。
【００１８】
本実施形態の銘板カバー１は、電力量計本体７の前面に取り付けられた銘板カバー１を封印するための封印部９を備えている。封印部９によって、不特定の第三者が銘板カバー１を取り外すことを確実に防止することができ、従って、銘板２の記載事項を確実に保護することができる。本実施形態では、封印部９は、所定の封印ねじ１０を通すための孔９ａと孔９ａに隣接して配置される突起部９ｂを備えている。図１に示すように、封印ねじ１０は、電力量計本体７の前面に形成されたねじ穴１１に螺合するように構成されており、ねじ頭部に半径方向に延びる貫通穴１２を有している。封印ねじ１０をねじ穴１１に螺合した後、封印線（図示せず）を貫通穴１２と、突起部９ｂに形成される開口部１３に通して結束する。これにより銘板カバー１の封印を行うことができる。
【００１９】
本実施形態による銘板カバー１は、電力量計本体７に対して着脱可能である。図２に、銘板カバー１と電力量計本体７の着脱機構を示す。図２に示すように、銘板カバー１は、電力量計本体７の表示部３の下方に配置される側壁７１を有しており、側壁７１の内側には、電力量計本体７に形成された溝７２に挿入可能な突起部７３が設けられている。突起部７３を溝７２に挿入することにより、銘板カバー１を電力量計本体７に対して位置決めすることができる。また、上記の封印ねじ１０を電力量計本体７のねじ穴１１に螺合させることにより、銘板カバー１を電力量計本体７に固定することができる。従って、例えば、銘板記載事項を変更する必要が生じた場合等に、銘板カバー１を電力量計本体７に対して容易に着脱することができる。尚、銘板カバー１と電力量計本体７の着脱機構は、図２に示すものに限られない。
【００２０】
図３は、銘板カバー１に対する外部カバー２０の取り付けを示す図である。外部カバー２０は、電力量計の表示部３と配電盤扉（図示せず）との間に大きな隙間ができる場合にこの隙間を解消するように電力量計本体７の前面にオプションとして取り付けることができるものであり、その構成は、従来の外部カバーの構成と実質的に同様である。
【００２１】
本実施形態の銘板カバー１は、外部カバー２０のための取り付け部を有することができる。例えば、図３に示すように、銘板カバー１は、表示部３周囲に配置される側壁のうち、左右の側壁７４（図３には、一方のみ示されている）に溝７５を備えることができ、外部カバー２０の左右の側壁２４の内側に形成された突起部２５を溝７５に挿入することにより（換言すれば、スナップフィット式に）、外部カバー２０を銘板カバー１に固定することができる。このように、外部カバー２０を銘板カバー１に固定することができるので、銘板カバー１を電力量計本体７に取り付けた状態で外部カバー２０を使用して、配電盤扉に対する高さ調整を行うことが可能になる。また、外部カバー２０を取り付けた状態で銘板カバー１を取り外すことが可能となり、銘板カバー１を着脱する際の作業効率を高めることができる。尚、銘板カバー１と外部カバー２０の取り付け構造は、図３に示すものに限られない。
【００２２】
尚、上記したように、本発明では、銘板カバー１は必ずしも設定用スイッチ６を覆っていなくてもよいが、この場合は、銘板カバー１と別個に設定用スイッチ６のための封印カバーが必要となる。設定用スイッチ６のために別個の封印カバー３０が使用される場合の、銘板カバー１の封印部９の例を図４に示す。この例では、設定用スイッチ６の封印カバー３０と干渉しない領域に銘板カバー１を延長し、延長部１ａに封印部９を形成している。この封印部９は、上記実施形態の封印部９と同様に、封印ねじ１０を通すための孔９ａと、孔９ａに隣接して配置される突起部９ｂを有している。尚、電力量計本体７における、延長部１ａに対応する部分には、封印ねじ１０のためのねじ穴が形成される。設定用スイッチ６の封印カバー３０には、所定の封印ねじ３１を通すための孔（符号省略）とこの孔に隣接して配置される突起部３２が形成される。
【産業上の利用可能性】
【００２３】
本発明は、料金取引または証明を前提とした電力量計の、銘板記載事項を保護するカバーとして広く適用できる。
【符号の説明】
【００２４】
１  銘板カバー
１ａ  延長部
２  銘板
３  表示部
３ａ  視認部
４  窓部
５  孔
６  設定用スイッチ
７  電力量計本体
８  開口
９  封印部
９ａ  孔
９ｂ  突起部
１０  封印ねじ
１１  ねじ穴
１２  貫通穴
３０  設定用スイッチ封印カバー
３１  封印ねじ
３２  突起部
１３  開口部
２０  外部カバー
２４  側壁
２５  突起部
７１  側壁
７２  溝
７３  突起部
７４  側壁
７５  溝
１００  シール
【図１】
0006444654.tif 000002
【図２】
0006444654.tif 000003
【図３】
0006444654.tif 000004
【図４】
0006444654.tif 000005